(57)【要約】      （修正有）【課題】  厚さが薄くても、強い振動を発生させることができる振動デバイスを有する非接触ＩＣカードを提供する。【解決手段】  コイル１１と磁石１２，１３とによって構成される振動デバイス１０がＩＣカードの筐体２の内部に設けられている。コイル１１と磁石１２、１３とが互いに水平方向に位置し、コイル１１は筐体２の第１の表面２ａの内面に固定され、磁石１２，１３は第２の表面２ｂの内面に固定されている。コイル１１に通電されると、磁石１２，１３から第２の表面２ｂに面振動が与えられ、コイル１１から第１の表面１２ａに面振動が与えられる。【選択図】図４
2007114981.tif 000002
【特許請求の範囲】
【請求項１】
カード状の筐体内に、信号の受信と送信の少なくとも一方を行う送受信部と、前記筐体を振動させる振動デバイスと、前記振動デバイスを駆動する制御部と、が設けられたＩＣカードにおいて、
前記振動デバイスは、コイルと磁石とを有する磁気回路で構成され、前記コイルに通電されたとき、前記振動デバイスが筐体に対して振動を与えることを特徴とするＩＣカード。
【請求項２】
前記振動デバイスから、筐体に対して、カードの面と平行な振動が与えられる請求項１記載のＩＣカード。
【請求項３】
前記コイルは互いに逆向きの電流が流れる対を成す通電部を有し、前記磁石から前記通電部の一方と他方に対して、互いに逆回り方向の磁界が与えられ、磁石とコイルの少なくとも一方が筐体の面に固定されて、コイルへの双方向への通電により、筐体の面に対して、異なる２方向の力が交互に与えられる請求項２記載のＩＣカード。
【請求項４】
前記送受信部において信号を受信したこと、および信号を送信したことの少なくとも一方が前記制御部で認識されたときに、振動デバイスが振動させられる請求項１ないし３のいずれかに記載のＩＣカード。
【発明の詳細な説明】
【技術分野】
【０００１】
本発明は、報知機能を有するＩＣカードであって、特にカードの筐体を振動させることによって使用者にカードの動作状態を知らせることができるＩＣカードに関する。
【背景技術】
【０００２】
以下の特許文献１には、内部に報知素子が組み込まれて、この報知素子を駆動することによって、使用者がカードの動作状態を知ることができる非接触ＩＣカードが開示されている。
【０００３】
この非接触ＩＣカードは、内部に発光素子、発音素子あるいは振動素子等の報知素子が組み込まれ、カードの動作状態に応じてこれらの報知素子が駆動し、使用者にカードの動作状態を知らせるというものである。
【特許文献１】特開平９−１１４９４５号公報
【発明の開示】
【発明が解決しようとする課題】
【０００４】
前記非接触ＩＣカードは、たとえば整流回路から出力される電圧値が予め定められた値以上の時のみ前記報知素子が動作し、あるいは端末装置とカードとの間で通信が行われている際に、前記報知素子が動作して使用者にカードの動作状態を知らせるものである。
【０００５】
しかしながら、前記特許文献１に記載の前記振動素子は、薄いカード内に内蔵できる圧電素子を使用している。しかし、圧電素子は、薄型化が可能であるが、その振動の振幅が微小であるため、ＩＣカードを保持している人の手に対して報知のための十分な振動を与えることが難しい。
【０００６】
また、圧電素子は、その電圧を体積の変化に変換できるものであるが、特許文献１に示すように、平板状の圧電素子では、平面方向への体積の変化量を大きくできず、よって、大きな振幅の振動を発生させることはできない。
【０００７】
本発明は上記従来の課題を解決するものであり、薄いカード状の筐体内に振動デバイスが収納されているものであり、しかも筐体の面に大きな振動を与えることができるＩＣカードを提供することを目的とする。
【課題を解決するための手段】
【０００８】
本発明は、カード状の筐体内に、信号の受信と送信の少なくとも一方を行う送受信部と、前記筐体を振動させる振動デバイスと、前記振動デバイスを駆動する制御部と、が設けられたＩＣカードにおいて、
前記振動デバイスは、コイルと磁石とを有する磁気回路で構成され、前記コイルに通電されたとき、前記振動デバイスが筐体に対して振動を与えることを特徴とするものである。
【０００９】
本発明のＩＣカードは、カード状の筐体内に収納された振動デバイスが、コイルと磁石とで構成されているため、筐体に対して大きな振幅の振動を与えることができ、カードの所持者が振動を十分に認識できるようになる。
【００１０】
本発明は、前記振動デバイスから、筐体に対して、カードの面と平行な振動が与えられるものが好ましい。
【００１１】
特に、本発明は、前記コイルは互いに逆向きの電流が流れる対を成す通電部を有し、前記磁石から前記通電部の一方と他方に対して、互いに逆回り方向の磁界が与えられ、磁石とコイルの少なくとも一方が筐体の面に固定されて、コイルへの双方向への通電により、筐体の面に対して、異なる２方向の力が交互に与えられるものが好ましい。
【００１２】
上記のように、筐体に対し、カードの面に双方向に交互に力が与えられると、筐体の面方向への振動が周囲に伝播し、筐体のどの部分を保持していても、その手に十分な振幅の振動を与えることが可能である。
【００１３】
例えば、本発明は、前記送受信部において信号を受信したこと、および信号を送信したことの少なくとも一方が前記制御部で認識されたときに、振動デバイスが振動させられるものである。
【発明の効果】
【００１４】
本発明のＩＣカードは、筐体内に収納された振動デバイスが、コイルと磁石とで構成されているため、カード状の筐体に対して大きな振幅の振動を与えることができる。また、カード状の筐体の面に沿う向きに交互の力を与えて振動させているため、筐体の全域において、手などで振動を感じやすくなる。
【発明を実施するための最良の形態】
【００１５】
図１は本発明の実施の形態のＩＣカードを示す斜視図、図２はその回路ブロック図、図３は、ＩＣカードに組み込まれている振動デバイスを示す斜視図、図４（Ａ）（Ｂ）は、振動デバイスを動作別に示す図３のＩＶ−ＩＶ線断面での断面図である。
【００１６】
図１に示すＩＣカードは、非接触式で信号の受信および送信を行うものであり、カード状の筐体２を有している。筐体２は合成樹脂製であり、互いに対面する第１の表面２ａと第２の表面２ｂを有しており、第１の表面２ａおよび第２の表面２ｂは、両側面２ｃ，２ｃおよび両端面２ｄ，２ｄの面積に比べて十分に広い面積を有している。
【００１７】
筐体２内には、制御部３と電池４が収納されている。また筐体２の中央部に、振動デバイス１０が収納されている。筐体２の重心が、この振動デバイス１０と重なる位置となるように、前記振動デバイス１０の位置が設定されている。図２に示すように、筐体２内には、外部から与えられる電磁波を電力に変換して制御部（ＩＣ）に与える電力発生部５、および外部信号を受信し、且つ制御部３で生成された信号を発信する送受信部６が設けられている。電力発生部５は、外部から与えられる電磁波を電流に変換するコイルと、コイルから得られた電力を蓄電する大容量コンデンサーと、さらに前記電力を直流電力に変換する整流器などを有している。
【００１８】
図３および図４（Ａ）（Ｂ）に示すように、振動デバイス１０は、リング状に巻かれたコイル１１と、このコイル１１の内側に設けられた、一対の磁石１２，１３とによって構成されている。コイル１１はリング状に巻かれているため、１８０度の角度で対向する一対の通電部１１ａと通電部１１ｂとでは、電流の方向が逆向きである。
【００１９】
磁石１２と磁石１３は、互いに独立して構成されているものであり、磁石１２は、上面１２ａがＳ極で、下面１２ｂがＮ極となるように、互いに逆の磁極となるように着磁されている。磁石１３は、上面１３ａがＮ極で、下面１３ｂがＳ極となるように、互いに逆の磁極となるように着磁されている。また、磁石１２の表面１２ａと磁石１３の表面１３ａは互いに逆の磁極であり、磁石１２の下面１２ｂと磁石１３の下面１３ｂは、互いに逆の磁極である。
【００２０】
図４（Ａ）（Ｂ）に示すように、コイル１１と各磁石１２，１３は、筐体２の内部に形成された空間２ｅ内に配置されている。コイル１１は、筐体２の第１の表面２ａの内面に接着剤で固定されており、磁石１２，１３は、筐体２の第２の表面２ｂの内面に接着剤で固定されている。すなわち、コイル１１と磁石１２，１３は、筐体２の互いに対向する異なる面の内側に固定されている。
【００２１】
振動デバイス１０は、図２に示す制御部３からコイル１１に交流電流が与えられることにより駆動される。
【００２２】
この振動デバイス１０では、一方の磁石１２に保磁された磁界が、コイル１１の一方の通電部１１ａに対して、図４の断面において反時計方向に交叉し、他方の磁石１３に保磁された磁界が、コイル１１の他方の通電部１１ｂに対して、時計方向に交叉する。よって、図４（Ａ）に示すように、コイル１１に、電流が時計方向へ流れるときには、両磁石１２と１３に右方向の力が作用し、その反力としてコイル１１に左方向の力が作用する。逆に、図４（Ｂ）に示すように、コイル１１に、電流が反時計方向へ流れるときには、両磁石１２と１３に左方向の力が作用し、その反力としてコイル１１に右方向への力が作用する。
【００２３】
コイル１１に交流電流が流れることにより、磁石１２，１３から、筐体２の第２の表面２ｂに対して左右方向への交互の振動が与えられ、コイル１１から、筐体２の第１の表面２ａに対して左右方向への交互の振動が与えられる。すなわち、振動デバイス１０で励起する振動は、第１の表面２ａと第２の表面２ｂの双方に対して面方向へ伝達される。また、第１の表面２ａに与えられる振動と第２の表面２ｂに与えられる振動は、位相および振動数が一致している。
【００２４】
図１に示すように、振動デバイス１０が、筐体２の重心位置に配置されていると、第１の表面２ａと第２の表面２ｂに対して、振動が重心から周囲に広がるように伝播する。よって、筐体２のどの位置を指で保持していても、ほぼ同じ強度でほぼ同じ振幅の振動を手で感じることができる。また、振動は、電磁力により発生し、第１の表面２ａと第２の表面２ｂの双方へ振動が与えられるため、指が第１の表面２ａに触れているときであっても、第２の表面２ｂに触れているときであっても、指で振動を感じることが可能である。
【００２５】
図１に示すＩＣカード１を、入出ゲートや各種電子機器などの機器本体に近づけると、機器本体から与えられる電磁波が、電力発生部５において電力に変換されて制御部３に与えられる。また、前記電力でアクティブとなった制御部３の制御動作に基づいて、外部からの信号が送受信部６で受信され、また送受信部６から信号が発せられる。制御部３において信号を受信したことが検知されたとき、または信号が送信されたことが認識されたときに、制御部３から振動デバイス１０のコイル１１に通電されて、振動デバイス１０が振動を発生する。よって、ＩＣカード１を保持している使用者は、信号を受信できたこと、または信号を発信したことを、振動で認識できる。
【００２６】
また、振動デバイス１０に与えられる電力は、電力発生部５で変換されて蓄電部で蓄電された電力を利用することができるし、または電池４からの電力を利用することもできる。
【００２７】
なお、本発明のＩＣカードは、受信機能のみを有するものであってもよいし、発信機能のみを有するものであってもよい。また、コイル１１はリング状に巻かれているものに限られず、四角形に巻かれているものであって、磁石１２，１３の四角形のものであってもよい。また磁石１２，１３は接着剤などで接着されて一体化されたもの、あるいは一体の磁石の表面に異なる磁極が着磁されたものであってもよい。ただし、コイル１１がリング状であり、磁石１２，１３が円形であると、発生する振動が、第１の表面２ａと第２の表面２ｂを伝播して、周囲の各方向へ均等な強度で伝播しやすくなる。
【図面の簡単な説明】
【００２８】
【図１】本発明の実施の形態のＩＣカードの斜視図、
【図２】ＩＣカードの回路ブロック図、
【図３】振動デバイスの斜視図、
【図４】（Ａ）（Ｂ）は、振動デバイスを動作別に示す図３のＩＶ−ＩＶ線の断面図、
【符号の説明】
【００２９】
１  ＩＣカード
２  筐体
３  制御部
１０  振動デバイス
１１ａ，１１ｂ  通電部
１２，１３  磁石
【図１】
2007114981.tif 000003
【図２】
2007114981.tif 000004
【図３】
2007114981.tif 000005
【図４】
2007114981.tif 000006